(57)【要約】【課題】集塵手段に大きな振動を与えることで、集塵手段に付着した塵埃を効果的に除塵でき、塵埃を集塵し続けても集塵性能が低下しない使用性の高い電気掃除機を提供することを目的とする。【解決手段】吸引風を発する電動送風機１５と、吸引した塵埃を捕集する集塵手段１３と、回転自在な回転体４３とを備え、回転体４３を集塵手段１３に接触させ回転させることで、集塵手段１３に付着した塵埃を除塵するもので、集塵手段１３に付着した塵埃を効果的に除塵することが可能となり、塵埃を集塵し続けても集塵性能が低下せず、初期の吸込み力を長時間維持することができ、使用性の高い電気掃除機を提供できる。【選択図】図２
2006181392.tif 000002
【特許請求の範囲】
【請求項１】
吸引風を発する電動送風機と、吸引した塵埃を捕集する集塵手段と、回転自在な回転体とを備え、前記回転体を前記集塵手段に接触させ回転させることで、前記集塵手段に付着した塵埃を除塵する電気掃除機。
【請求項２】
回転体は複数のブラシを備え、前記複数のブラシは硬質のブラシと軟質のブラシから構成されてなる請求項１記載の電気掃除機。
【請求項３】
集塵手段の少なくとも一部に接する部材と、回転体を回転させる電動機とを備え、前記部材に前記電動機を配するとともに、前記電動機の回転とともに回転する錘を、前記電動機に設けた請求項１または２記載の電気掃除機。
【請求項４】
電動送風機に電源を供給する電源コードと、前記電源コードを収納する回転自在なコードリールとを備え、前記コードリールの回転と連動して回転体が回転する請求項１または２記載の電気掃除機。
【請求項５】
電動送風機を内蔵した掃除機本体と、前記掃除機本体に配された走行手段とを備え、前記走行手段の回転と連動して回転体が回転する請求項１または２記載の電気掃除機。
【発明の詳細な説明】
【技術分野】
【０００１】
本発明は、集塵袋に塵埃が溜まっても吸塵力の低下を防止できる電気掃除機に関するものである。
【背景技術】
【０００２】
従来の電気掃除機を、図７を用いて説明する。
【０００３】
従来の電気掃除機にあっては、以下に示すような構成となっていた。すなわち、吸引風を発する電動送風機１を内蔵した電動送風機室２と、吸引した塵埃を捕集する集塵手段である集塵袋３を内蔵した集塵室４と、前記集塵室４の前部に発振子５と、集塵袋３の後部に圧電式の振動子６を備えている。前記振動子６は、集塵室４内に、集塵袋３の後部に接して設けてある。
【０００４】
上記構成による電気掃除機では、集塵袋３に塵埃が吸い込まれた時、集塵袋３の後方に保持している振動子６により、前記集塵袋３を振動させることで、前記集塵袋３の内部に付着した塵埃を除去するものである（例えば、特許文献１参照）。
【特許文献１】特開平５−１９２２７８号公報
【発明の開示】
【発明が解決しようとする課題】
【０００５】
しかしながら、上記従来の構成では、集塵袋３の内部に付着した微細塵を叩き落とすとき、集塵袋３に接している振動子６の振動は、軟質の集塵袋３によって振動が吸収されるため、集塵袋３に大きな振動を与えることができない。従って効果的な除塵効果が望めないという課題があった。
【０００６】
本発明は上記課題を解決するものであり、集塵手段に大きな振動を与えることで、集塵手段に付着した塵埃を効果的に除塵でき、塵埃を集塵し続けても集塵性能が低下しない使用性の高い電気掃除機を提供することを目的とする。
【課題を解決するための手段】
【０００７】
上記目的を達成するために本発明は、吸引風を発する電動送風機と、吸引した塵埃を捕集する集塵手段と、回転自在に回転する回転体とを備え、前記回転体を前記集塵手段に接触させ回転させることで、前記集塵手段に付着した塵埃を除塵するもので、集塵手段の表面を直接回転体にて叩くことができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。
【発明の効果】
【０００８】
本発明によれば、集塵手段に大きな振動を与えることで、集塵手段に付着した塵埃を効果的に除塵でき、塵埃を集塵し続けても集塵性能が低下しない使用性の高い電気掃除機を提供できる。
【発明を実施するための最良の形態】
【０００９】
第１の発明は、吸引風を発する電動送風機と、吸引した塵埃を捕集する集塵手段と、回転自在に回転する回転体とを備え、前記回転体を前記集塵手段に接触させ回転させることで、前記集塵手段に付着した塵埃を除塵するもので、集塵手段の表面を直接回転体にて叩くことができ、その結果、集塵手段に付着した塵埃を効果的に除塵することが可能で、塵埃を集塵し続けても集塵性能が低下せず、初期の吸込み力を長時間維持することができる。また、特に、集塵手段として集塵袋を使用した場合には、前記集塵袋の繊維内に入り込んだ塵埃をより除去でき、初期の吸込み力を長期間維持することができる。
【００１０】
第２の発明は、回転体は複数のブラシを備え、前記複数のブラシは硬質のブラシと軟質のブラシから構成されてなるもので、軟質のブラシで集塵手段の広い範囲を叩き、硬質のブラシで集塵手段の表面を強く叩くことにより効率的に広範囲を叩き出すことが可能となる。特に、集塵手段として集塵袋を使用した場合には、集塵袋の通気性が回復し、初期の吸込み力を長期間保持することができる。
【００１１】
第３の発明は、集塵手段の少なくとも一部に接する部材と、回転体を回転させる電動機とを備え、前記部材に前記電動機を配するとともに、前記電動機の回転とともに回転する錘を、前記電動機に設けたもので、回転体で集塵手段の叩き出しを行い、かつ錘の重心以外の部分を回転中心として電動機の回転軸に保持し、前記電動機を回転させるため、その結果、部材および集塵手段自体が振動し、効果的に集塵手段の除塵を行うことができる。特に、集塵手段として集塵袋を使用した場合には、集塵袋の通気性が回復し、初期の吸込み力を長期間保持することができる。
【００１２】
第４の発明は、電動送風機に電源を供給する電源コードと、前記電源コードを収納する回転自在なコードリールとを備え、前記コードリールの回転と連動して回転体が回転するもので、電源コードを引き出したり、巻き込んだりしたときにコードリールが回転する。このとき連動した回転体に回転力が伝わり集塵手段の表面を直接叩くので、効果的に集塵手段の除塵を行うことができる。特に、集塵手段として集塵袋を使用した場合には、集塵袋の通気性が回復し、初期の吸込み力を長期間保持することができる。
【００１３】
第５の発明は、電動送風機を内蔵した掃除機本体と、前記掃除機本体に配された走行手段とを備え、前記走行手段の回転と連動して回転体が回転するもので、掃除機本体を移動させ、走行手段が回転するたびに走行手段に連動した回転体が回転し、集塵手段の表面を叩くので、効果的に集塵手段の除塵を行うことができる。特に、集塵手段として集塵袋を使用した場合には、集塵袋の通気性が回復し、初期の吸込み力を長期間保持することができる。
【００１４】
以下、本発明の実施の形態について、図面を参照しながら説明する。なお、この実施の形態によって本発明が限定されるものではない。
【００１５】
（実施の形態１）
まず、本発明の第１の実施の形態を図１〜３を用いて説明する。
【００１６】
図１において、掃除機本体１１は、外郭を形成する上方開口した下カバー１２の前方に吸引した集塵を捕集し通気性を有する集塵手段であり軟質の紙から形成されてなる集塵袋１３を収納する集塵室１４と、後方には吸引風を発生する電動送風機１５を収納する電動送風機室１６を設けており、電動送風機室１６の上方を上カバー１７によって覆い、電動送風機１５はクッション１８を介して下カバー１２と上カバー１７とで狭持されている。集塵室１４の上方は、上カバー１７に軸支して開閉自在に回動する蓋体１９によって覆っており、また、集塵室１４を仕切る仕切壁２０を下カバー１２に設け、前記蓋体１９に相対するように配置させている。集塵室１４と電動送風機室１６とは、前記仕切壁２０によって区画されており、仕切壁２０に連通口２２を設けて、集塵室１４と電動送風機室１６が連通するようにしてある。また、この連通口２２は格子状にリブにて形成している。
【００１７】
図２に示すように、集塵室１４の上部に、集塵手段である集塵袋１３の外表面の一部（本実施の形態においては、集塵袋１３の上面）が表面と接触し、一部通気部を有する部材である上バスケット３９を保持する。上バスケット３９の後方内部に回転体なる回転ブラシ４３を配し、前記回転ブラシ４３は駆動手段である電動機２７にてプーリー２９を介して駆動される。回転ブラシ４３が回転すると、前記回転ブラシ４３のブラシ部分が集塵袋１３に接触し、前記集塵袋１３を叩き除塵が行える。
【００１８】
通常使用状態において、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００１９】
また、図３に示すように、この回転ブラシ４３は、硬質のブラシ４６と軟質のブラシ４７を交互に配していてもよくこれにより、軟質のブラシ４７で集塵袋１３の広範囲な部分を叩き、硬質ブラシ４６で集塵袋１３を強く叩くことで、より効果的に集塵袋１３の除塵が行え、初期の集塵性を維持できる。また、硬質のブラシ４６を軟質のブラシ４７より突出代を長くすることで上記効果は、著しく発揮される。
【００２０】
なお、本実施の形態においては、回転体なる回転ブラシ４３を電動機２７にて駆動させたが、集塵室１４内を通過する吸引風により、回転させる構成でも、上記と同様の効果は得られる。
【００２１】
（実施の形態２）
以下、本発明の第２の実施の形態を図４を用いて説明する。なお、上記実施の形態と同一部品には同一符号を付し、その説明は省略する。
【００２２】
図４に示すように、集塵室１４の上部に、集塵手段である集塵袋１３の外表面の一部（本実施の形態においては、集塵袋１３の上面）が表面と接触し、一部通気部を有する部材である上バスケット３９を保持する。上バスケット３９の後方内部に回転体なる回転ブラシ４３を配し、前記回転ブラシ４３は駆動手段である電動機２７にて駆動される。回転ブラシ４３が回転すると、前記回転ブラシ４３のブラシ部分が集塵袋１３に接触し、前記集塵袋１３を叩き除塵が行える。
【００２３】
また、錘４０の重心以外の部分を回転中心として電動機４０の回転軸に保持した電動機２７を固定する。上バスケット３９の前方は、ビス４２にて蓋体１９に固定されている。電動機２７を取り付けた上バスケット３９の部分は、固定されていないため、電動機２７を運転すると振動が生じ、上バスケット３９自体が振動する。
【００２４】
通常使用状態において、電動機４９を運転すると、回転ブラシ４３のブラシ部分が、前記集塵袋１３を叩くことで、集塵袋１３の繊維に入り込んだ微細塵は振い落とされることとなると同時に、上バスケット３９の表面が集塵袋１３の表面に接し、前記集塵袋１３を振動させることで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００２５】
なお、本実施の形態においては、回転体なる回転ブラシ４３を電動機２７にて駆動させたが、集塵室１４内を通過する吸引風により、回転させる構成でも、上記と同様の効果は得られる。
【００２６】
さらに、回転ブラシ４３を備えずに、錘４０のみを回転させて振動を発生させ、前記上バスケット３９および集塵袋１３を振動させるのみでも、効果的に集塵袋１３の除塵を行うことができる。
【００２７】
（実施の形態３）
以下、本発明の第３の実施の形態を図５を用いて説明する。なお、上記実施の形態と同一部品には同一符号を付し、その説明は省略する。
【００２８】
図５に示すように、集塵室１４の後方に回転体なる回転ブラシ４３を配し、電動送風機室１６には、電動送風機（図示せず）に電源を供給する電源コード（図示せず）を収納するコードリール５２を配設する。その中心軸５３に連動して、回転ブラシ４３を回転するようベルト５４を配設している。これにより、掃除前後に、電源コードを引き出したり巻き込んだりするたびに、コードリール５２は回転するが、その回転に連動して前記回転ブラシ４３が回転する。いわゆるコードリール５２の回転を前記回転ブラシ４３の回転の駆動手段としている構成となっている。
【００２９】
掃除前後に、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【００３０】
（実施の形態４）
以下、本発明の第４の実施の形態を図６を用いて説明する。なお、上記実施の形態と同一部品には同一符号を付し、その説明は省略する。
【００３１】
図６に示すように、集塵室１４の後方に回転体なる回転ブラシ４３を配し、掃除機本体１１の走行手段である車輪５５の軸５６に連動して、回転ブラシ４３を回転するようベルト５４を配設している。これにより、掃除中に、車輪５５が回転するたびに、その回転に連動して前記回転ブラシ４３が回転する。いわゆる車輪５５の回転を前記回転ブラシ４３の回転の駆動手段としている構成となっている。
【００３２】
掃除中に、回転ブラシ４３のブラシ部分が、前記集塵袋１３を叩くことで、集塵袋１３の繊維に入り込んだ微細塵は振い落とされることとなる。集塵性能の低下は、集塵袋１３の内面の繊維中に微細塵が入り込むことで、通気性が低下することによって引き起こされるが、集塵袋１３に付着した細塵を取り除くことで通気性が回復する。これにより、初期の吸込み力が長く維持できることとなり最後まで強い吸込み性が維持できる。
【産業上の利用可能性】
【００３３】
以上のように、本発明にかかる電気掃除機は集塵手段に大きな振動を与えることで、集塵手段に付着した塵埃を効果的に除塵するもので、集塵手段としては、集塵袋の他、カセット式の集塵容器にも適用できる。
【図面の簡単な説明】
【００３４】
【図１】本発明の第１の実施の形態を示す掃除機本体の縦断面図
【図２】同実施の形態を示す掃除機本体の一部縦断面図
【図３】同他の実施の形態を示す掃除機本体の一部縦断面図
【図４】本発明の第２の実施の形態を示す掃除機本体の一部縦断面図
【図５】本発明の第３の実施の形態を示す掃除機本体の縦断面図
【図６】本発明の第４の実施の形態を示す掃除機本体の縦断面図
【図７】従来の掃除機本体の縦断面図
【符号の説明】
【００３５】
１１  掃除機本体
１３  集塵袋（集塵手段）
１４  集塵室
１５  電動送風機
１６  電動送風機室
２５  バスケット（部材）
２７  電動機
２８  カム
４３  回転ブラシ（回転体）
【図１】
2006181392.tif 000003
【図２】
2006181392.tif 000004
【図３】
2006181392.tif 000005
【図４】
2006181392.tif 000006
【図５】
2006181392.tif 000007
【図６】
2006181392.tif 000008
【図７】
2006181392.tif 000009